(57)【要約】【課題】ウレタンフローティング部20を吸音部材２と一体的に形成すると共に、ウレタンフローティング部20による制振効果を最大に発現させる。【解決手段】ウレタンフローティング部20には、固定部材５とカバー本体１とに挟まれた部分の圧縮率が15％以下である非圧縮部を有する。非圧縮部では、ウレタン発泡体がほとんど圧縮されておらず高い制振作用が発現される。【選択図】  図２
2008248809.tif 000002
【特許請求の範囲】
【請求項１】
厚さ方向に貫通する貫通孔をもつ硬質板状のカバー本体と、該カバー本体の裏面に積層されたウレタン発泡体よりなる吸音部材と、からなる防音カバーの取付構造であって、
該吸音部材は該貫通孔を通って該カバー本体の表面側へ回り込んだウレタンフローティング部を一体に有し、
該防音カバーは該ウレタンフローティング部の表面側に配置されると共に該貫通孔の孔径より大きな外径をもつ固定部材によって騒音源の表面に形成された被固定部に固定され、
該ウレタンフローティング部には、該固定部材と該カバー本体とに挟まれた部分の圧縮率が15％以下である非圧縮部が存在することを特徴とする防音カバーの取付構造。
【請求項２】
前記ウレタンフローティング部の一部には、前記固定部材に向かって突出して優先的に圧縮される凸部をもつ請求項１に記載の防音カバーの取付構造。
【請求項３】
前記凸部は前記貫通孔の周囲を一周するリング状に形成されている請求項２に記載の防音カバーの取付構造。
【請求項４】
前記カバー本体、前記被固定部及び前記固定部材の少なくとも一つと前記吸音部材との間には空間部が形成され、前記固定部材による押力によって前記吸音部材の一部が該空間部に入り込むことで前記非圧縮部が形成されている請求項１に記載の防音カバーの取付構造。
【請求項５】
前記固定部材は、前記被固定部に当接することで前記非圧縮部の圧縮率が15％以下となるように厚さを規制する規制手段を備える請求項１〜４のいずれかに記載の防音カバーの取付構造。
【請求項６】
厚さ方向に貫通する貫通孔をもつ硬質板状のカバー本体と、該カバー本体の裏面に積層されたウレタン発泡体よりなる吸音部材と、からなり、固定部材によって被固定部に固定される防音カバーであって、
該吸音部材は該貫通孔を通って該カバー本体の表面側へ回り込んだウレタンフローティング部を一体に有し、
該ウレタンフローティング部の少なくとも一部には、該固定部材による押力によって優先的に圧縮される凸部をもつことを特徴とする防音カバー。
【請求項７】
前記凸部は前記貫通孔の周囲を一周するリング状に形成されている請求項６に記載の防音カバー。
【請求項８】
厚さ方向に貫通する貫通孔をもつ硬質板状のカバー本体と、該カバー本体の裏面に積層されたウレタン発泡体よりなる吸音部材と、からなり、固定部材によって被固定部に固定される防音カバーであって、
該吸音部材は該貫通孔を通って該カバー本体の表面側へ回り込んだウレタンフローティング部を一体に有し、
該カバー本体、該被固定部及び該固定部材の少なくとも一つと該吸音部材との間には、該固定部材による押力によって該吸音部材の一部が入り込むように変形するための空間部をもつことを特徴とする防音カバー。
【発明の詳細な説明】
【技術分野】
【０００１】
本発明は、自動車のエンジンカバーなど防音カバーとその取付構造に関する。
【背景技術】
【０００２】
近年の自動車では、エンジンからの騒音を遮蔽するために、エンジンの周囲あるいは下部にブロックサイドカバーやアンダーカバーなどが配設され、シリンダブロックの上面にはエンジンカバーが配設されている。これらの防音カバーは、樹脂又は鋼板よりなる硬質のカバー本体と、カバー本体のエンジン側表面に積層されたウレタン発泡体などよりなる吸音部材とから構成されている。この防音カバーでは、カバー本体がエンジンからの音を遮蔽し、吸音部材がエンジンからの音を吸音する。
【０００３】
つまり音源であるエンジンから発せられた音波は、吸音部材を通過する際に吸音部材である程度吸音され、残りの音波がカバー本体に到達する。音波は硬質のカバー本体を通過することは困難であるためカバー本体で反射され再び吸音部材を通過する。したがって音波はエンジンとカバー本体の間で反射を繰り返し、吸音部材を通過する度に吸音されるので、効果的に防音することが可能となる。
【０００４】
ところがカバー本体は硬質であるために、騒音源の振動が伝達されるとカバー本体まで振動し、カバー本体自身が騒音源となる場合があった。そのため従来は、特許第 3100863号公報などに記載されているように、防音カバーを軟質弾性体製のグロメットを介してボルトにより騒音源に固定することが行われている。しかしこの場合には、別部材としてのグロメットが必要となるために部品点数が増大し、組付工数が多大となりコストも高いという不具合があった。
【０００５】
そこで特許第 3872265号公報には、カバーのボルト締結部位に開口を設け、開口にはＴ字状のカラーを配置させると共に、カラーの周りには吸音部材と一体的に形成したウレタン発泡体からなるフローティング部位を設けたエンジンカバーが提案されている。
【０００６】
このエンジンカバーによれば、フローティング部位によってカバー本体の振動を防止することができ、カバー本体自身が騒音源となるのを防止することができる。したがってグロメットが不要となり、部品点数を削減することができる。またフローティング部位は吸音部材と一体的に形成できるため、製造工数の増大も無い。
【特許文献１】特許第 3100863号公報
【特許文献２】特許第 3872265号公報
【発明の開示】
【発明が解決しようとする課題】
【０００７】
ところがウレタン発泡体は、ゴムや熱可塑性エラストマなどに比べて圧縮され易く、圧縮されることで硬くなって制振効果が消失するという問題がある。特に特許文献２に記載のようにウレタン発泡体からなるフローティング部位を形成したエンジンカバーでは、ウレタンフローティング部位の圧縮面積が発泡ウレタン樹脂層の圧縮面積よりも極めて小さいことから、エンジンに圧接状態で固定された場合、フローティング部位が優先的に圧縮されることになり（実際には30％〜50％）、フローティング部位による制振効果が損なわれ、カバー本体自身が騒音源となるという不具合を回避することが困難となる。
【０００８】
本発明は上記事情に鑑みてなされたものであり、フローティング部位を吸音部材と一体的に形成すると共に、フローティング部位による制振効果を最大に発現させることを目的とする。
【課題を解決するための手段】
【０００９】
上記課題を解決する本発明の防音カバーの取付構造の特徴は、厚さ方向に貫通する貫通孔をもつ硬質板状のカバー本体と、カバー本体の裏面に積層されたウレタン発泡体よりなる吸音部材と、からなる防音カバーの取付構造であって、
吸音部材は貫通孔を通ってカバー本体の表面側へ回り込んだウレタンフローティング部を一体に有し、防音カバーはウレタンフローティング部の表面側に配置されると共に貫通孔の孔径より大きな外径をもつ固定部材によって騒音源の表面に形成された被固定部に固定され、ウレタンフローティング部には、固定部材とカバー本体とに挟まれた部分の圧縮率が15％以下である非圧縮部が存在することにある。
【００１０】
そして本発明の一つの防音カバーの特徴は、厚さ方向に貫通する貫通孔をもつ硬質板状のカバー本体と、カバー本体の裏面に積層されたウレタン発泡体よりなる吸音部材と、からなり、固定部材によって被固定部に固定される防音カバーであって、
吸音部材は貫通孔を通ってカバー本体の表面側へ回り込んだウレタンフローティング部を一体に有し、ウレタンフローティング部の少なくとも一部には、固定部材による押力によって優先的に圧縮される凸部をもつことにある。
【００１１】
また本発明のもう一つの防音カバーの特徴は、厚さ方向に貫通する貫通孔をもつ硬質板状のカバー本体と、カバー本体の裏面に積層されたウレタン発泡体よりなる吸音部材と、からなり、固定部材によって被固定部に固定される防音カバーであって、
吸音部材は貫通孔を通ってカバー本体の表面側へ回り込んだウレタンフローティング部を一体に有し、カバー本体、被固定部及び固定部材の少なくとも一つと吸音部材との間には、固定部材による押力によって吸音部材の一部が入り込むように変形するための空間部をもつことにある。
【発明の効果】
【００１２】
本発明の防音カバーの取付構造においては、ウレタンフローティング部には固定部材とカバー本体との間で圧縮される圧縮率が15％以下の非圧縮部が存在している。この非圧縮部では、ウレタン発泡体がほとんど圧縮されておらず高い制振作用が発現される。したがってウレタンフローティング部と直接的にあるいは間接的に接するカバー本体の振動が抑制され、カバー本体自身が騒音源となるのを防止することができる。
【００１３】
そして本発明の一つの防音カバーでは、ウレタンフローティング部の一部に、固定部材に向かって突出して優先的に圧縮される凸部を備えている。したがって被固定部への固定時には、凸部が優先的に圧縮されることで、凸部以外のウレタンフローティング部の圧縮が抑制され、非圧縮部を確実に形成することができる。
【００１４】
また本発明のもう一つの防音カバーでは、カバー本体、被固定部及び固定部材の少なくとも一つと吸音部材との間には空間部が形成され、吸音部材は固定部材による押力によって吸音部材の一部が空間部に入り込むように変形する。したがってウレタンフローティング部の圧縮が抑制され、非圧縮部を確実に形成することができる。
【発明を実施するための最良の形態】
【００１５】
本発明の防音カバーは、カバー本体と、吸音部材とから構成されている。カバー本体は、樹脂板、金属板、あるいはセラミックスなどからなる硬質の板状のものを用いることができる。単位面積当たりにある程度大きな質量を有することが必要であるが、その形状は音源の形状及び配置スペースの形状によって決められ、特に制限されない。
【００１６】
カバー本体には、表裏を貫通する貫通孔が形成されている。この貫通孔は、被固定部に固定するための固定部材が挿通される取付孔として利用することができ、一般に複数個形成される。
【００１７】
吸音部材はウレタン発泡体から形成されたものを用いることができ、熱源及び騒音源の温度、吸音すべき音の周波数などによってその組成、見掛け密度などが決定される。その厚さは、配置スペースに応じて適宜決定することができる。
【００１８】
吸音部材とカバー本体とは、接合されていることが好ましい。接合されていないと劣化などによってカバー本体と吸音部材の間に隙間が生じ、その隙間から音が漏れたり、隙間に侵入した音波がカバー本体を振動させて二次放射音が発生したりする場合がある。この意味から、接合は吸音部材の表面全面で行うことが望ましい。
【００１９】
吸音部材を遮音部材に接合するには、予め所定形状に形成された吸音部材をカバー本体に接着あるいは溶着などによって接合することもできるが、カバー本体を型内に配置し、その型内で吸音部材を一体成形することで接合することが好ましい。
【００２０】
なお吸音部材のみかけ密度は、一般に吸音特性に優れた0.06〜0.12ｇ／cm3 程度が好ましい。またカバー本体を型内に配置して吸音部材を形成する一体成形の場合には、カバー本体と型面との間にウレタン発泡体を確実に形成するためには、カバー本体の片側において約５mm以上の厚さでウレタン発泡体を形成することが望ましい。
【００２１】
本発明の防音カバーは、吸音部材は貫通孔を通ってカバー本体の表面側へ回り込んだウレタンフローティング部を一体に有している。すなわち貫通孔の周縁部は、ウレタンフローティング部とその反対側の吸音部材とで挟持された状態となっている。ウレタンフローティング部を形成した吸音部材を予め形成し、ウレタンフローティング部を貫通孔から圧入することでカバー本体に積層することもできるが、カバー本体を成形型内に配置して吸音部材とウレタンフローティング部とを発泡一体成形することが好ましい。
【００２２】
本発明の防音カバーは、ウレタンフローティング部の表面側に配置される固定部材によって被固定部に固定される。そしてウレタンフローティング部の一部に、固定部材に向かって突出して優先的に圧縮される凸部が形成されていれば、被固定部への固定時には、固定部材によってこの凸部が優先的に圧縮されることで、凸部以外のウレタンフローティング部の圧縮が抑制され、非圧縮部を確実に形成することができる。
【００２３】
凸部は、貫通孔の周囲を一周するリング状に形成されていることが望ましい。これにより非圧縮部の圧縮程度を貫通孔の周囲で均一とすることができ、制振作用が安定化される。また凸部が貫通孔の周囲全周でカバー本体と直接的又は間接的に接触するので、シール性が向上し隙間からの音漏れを防止することができる。
【００２４】
吸音部材は、固定部材による押力の方向（厚さ方向）で凸部に対応する位置に空間部を有することが望ましい。このようにすれば、圧縮された凸部に対応する吸音部材の部分が空間部に入り込むので、非圧縮部をさらに容易に形成することができる。
【００２５】
また吸音部材とカバー本体及び固定部材の少なくとも一方との間に空間部が形成されていることも好ましい。この空間部の存在によって、吸音部材は固定部材による押力によって吸音部材の一部が空間部に入り込むように変形するので、ウレタンフローティング部が圧縮されるのを抑制することができ、非圧縮部を形成することができる。
【００２６】
本発明の防音カバーの取付構造においては、ウレタンフローティング部には固定部材とカバー本体との間で圧縮される圧縮率が15％以下の非圧縮部が存在している。この非圧縮部の存在によりカバー本体を制振することができ、高い防音効果が発現される。非圧縮部の圧縮率が15％を超えると、ウレタンフローティング部が硬くなって制振作用が低下し、防音効果も低下してしまう。なお非圧縮部の圧縮率はできる限り低い方が好ましく、具体的には10％以下、さらには５％以下がより好ましい。また、圧縮率は、下記の式に準じて算出することができる。元の体積及び固定後の体積とは、ウレタンフローティング部のうち固定部材とカバー本体との間に挟まれた部分の体積である。
圧縮率＝ 100×（元の体積−固定部材による固定後の体積）／元の体積
【００２７】
本発明の防音カバーの取付構造は、基本的に本発明の防音カバーを被固定部に取付けた構造である。そしてウレタンフローティング部に上記凸部を形成しておく、あるいはカバー本体、被固定部及び固定部材の少なくとも一つと吸音部材との間に空間部を形成しておくことで、非圧縮部を確実に形成することができ、またシール性が向上するため、防音効果がより確実に発現される。
【００２８】
被固定部材は、例えばエンジンから突出し雌螺子をもつボス部などとすることができる。この場合の固定部材は、ボルトとワッシャ、段付ボルト、ボルトとＴ字カラーなどが例示され、ウレタンフローティング部（特に凸部）と接触してボス部に固定できるものであれば特に制限されない。
【００２９】
固定部材は、被固定部に当接することで非圧縮部の圧縮率が15％以下となるように規制する規制手段を備えることが望ましい。この規制手段としては、Ｔ字カラー、段付ボルトの段部、ボルトが挿通されるスリーブ、あるいはボス部が例示される。
【００３０】
ところで固定部材を被固定部に係合させる際に吸音部材が噛み込まれると、噛み込み部の経時のへたりによって固定部材のボルト等がゆるみ、防音カバーの脱落につながる場合がある。そこで吸音部材は、貫通孔の周縁部で被固定部に対向する表面に、肉抜き部を備えることが望ましい。このようにすることにより、吸音部材が噛み込まれるのを防止することができる。この肉抜き部は、上記した空間部が兼ねることもできる。
【実施例】
【００３１】
以下、実施例により本発明を具体的に説明する。
【００３２】
（実施例１）
本発明の一実施例であるエンジンカバーの取付構造を、図１に部分断面図で示す。また図２に取付け前の状態を断面図で示し、図３に取付け後の状態を断面図で示す。この取付構造は、カバー本体１と、吸音部材２と、エンジンブロック３とからなる。カバー本体１と吸音部材２とは一体成形によって互いに接合されている。
【００３３】
カバー本体１は硬質樹脂から板状に形成され、表裏を貫通する貫通孔10が複数個形成されている。カバー本体１には表面から裏面側に突出する筒部11が形成されている。筒部11の端部には内径方向へ向かって突出するリング状のフランジ部12が形成され、フランジ部12の中心に貫通孔10が形成されている。
【００３４】
吸音部材２は、カバー本体１の裏面に一体的に積層されている。この吸音部材２は、カバー本体１を発泡成形型内に配置した状態で発泡成形されてなり、フランジ部12の周囲を覆うように形成されている。すなわち発泡樹脂はカバー本体の裏面側から貫通孔10を通ってフランジ部12の表面側へ回り込み、その位置に鍔状のウレタンフローティング部20が形成されている。それぞれの貫通孔10の内周側でウレタンフローティング部20の内周には、係合孔21が形成されている。フランジ部12は、ウレタンフローティング部20と、フランジ部12を挟んで反対側に存在する吸音部材２の一部とで挟持された状態となっている。
【００３５】
さらにウレタンフローティング部20の内周には、カバー本体１の表面側へ突出するリング状の凸部22が形成されている。また吸音部材２の凸部22に対応する裏面側、すなわち係合孔21の裏面側周縁部にはリング状の凹部23が形成されている。
【００３６】
またエンジンブロック３には、係合孔21に対応する位置にボス部30が突設されている。ボス部30には雌螺子が形成されている。
【００３７】
エンジンブロック３への取付け時には、カバー本体１と吸音部材２とからなるエンジンカバーを吸音部材２がエンジンブロック３に対向するように配置し、ボス部30を係合孔21に係合させる。すると吸音部材２の裏面がエンジンブロック３の表面に当接し、凹部23の部分に本発明にいう空間部が形成される。次にワッシャ４とボルト５を組み付ける。
【００３８】
ワッシャ４は、筒部11の内部に挿入される。ボルト５の締結前で荷重が作用しない状態では、ワッシャ４は凸部22の先端に載置された状態で、ワッシャ４とボス部30の表面との間には間隙が形成されている。
【００３９】
そしてボルト５をワッシャ４に挿通し、ボス部30と締結する。ボルト５がボス部30に進入するのに伴って、ワッシャ４が凸部22を押圧する。すると凸部22が圧縮されようとするが、その応力によって吸音部材２は凹部23の容積が縮小されるように弾性変形する。したがってワッシャ４から作用する圧縮応力の一部は剪断応力に転換され、ウレタンフローティング部20の圧縮が抑制される。
【００４０】
図３に示すように、ワッシャ４がボス部30の先端表面に当接した状態でボルト５の進入が停止され、締結が完了する。すなわちワッシャ４がボス部30に当接することで、ウレタンフローティング部20の圧縮率が15％以下となるように規制している。締結完了時でも凹部23にはまだ空間が残存し、凸部22の圧縮程度は小さい。またワッシャ４とウレタンフローティング部20との間にも、若干の隙間が存在する。
【００４１】
したがって、ウレタンフローティング部20のうちワッシャ４とフランジ部12との間に挟まれた部位の圧縮率は５％程度であってほとんど圧縮されることなく、締結前とほとんど同等の見掛け密度で存在している。これによりエンジンブロック３の振動はウレタンフローティング部20によって制振されてからカバー本体１に伝達されるので、カバー本体１の共振が抑制される。また凸部40は貫通孔10の周囲でワッシャ４に対してリング状に圧接されているので、シール性が良好であり隙間からの音漏れも防止されている。
【００４２】
すなわち本実施例の防音カバーの取付構造によれば、カバー本体１の振動が抑制され、カバー本体１自身が騒音源となるのを防止することができる。またグロメットが不要となるので部品点数を削減でき、ウレタンフローティング部20は吸音部材２の形成と同時に形成できるので、工数の増大もない。
【００４３】
なお本実施例において、凹部23を形成しなかった場合においても、凸部22の下方にはフランジ部12が存在しないので、ワッシャ４による凸部22の圧縮の力はほとんどそのまま下方へ伝わる。したがって凸部22より外周側に存在するウレタンフローティング部20が圧縮されるのが抑制されるので、非圧縮部が形成される。
【００４４】
（実施例２）
図４に本実施例のエンジンカバーをエンジンブロック３に締結する前の状態で示す。このエンジンカバーは、凸部22をもたず、ウレタンフローティング部20とフランジ部12の表面との間にリング状の空間部24が形成されている。その他は実施例１と同様である。
【００４５】
本実施例のエンジンカバーをエンジンブロック３に締結する際には、ワッシャ４によってウレタンフローティング部20が押圧される。するとウレタンフローティング部20は、外周側へ倒れ込むように変形し、空間部24の容積を狭めるように変形する。そしてワッシャ４がボス部30の先端表面に当接した状態でボルト５の進入が規制された状態では、ウレタンフローティング部20のうちワッシャ４とフランジ部12との間で挟まれた部位には、15％以下の圧縮率で圧縮された非圧縮部が形成される。
【００４６】
すなわち本実施例においては、凸部22を形成しない場合の例を示しているが、このような場合でも非圧縮部を形成することができ、カバー本体１の振動が抑制され、カバー本体１自身が騒音源となるのを防止することができる。
【００４７】
（実施例３）
図５に本実施例のエンジンカバーをエンジンブロック３に締結する前の状態で示す。このエンジンカバーは、ワッシャ４に代えてＴ字カラー６を用いてエンジンブロック３に締結される。
【００４８】
吸音部材２は、凸部22の形状が異なること以外は実施例１と同様である。凸部22は内周ほど肉厚が厚く、その外周表面はテーパ形状となっている。そして係合孔21内にＴ字カラー６の筒部60が挿入され、ボルト５がＴ字カラー６に挿通されてボス部30と螺合されると、凸部22は先ず内周側が圧縮される。凸部22はテーパ表面をもつ断面三角形状であるため、Ｔ字カラー６からの圧縮の力は外周側に伝わりにくく、凹部24に優先的に伝わる。
【００４９】
これにより、ウレタンフローティング部20の圧縮が抑制されるので、非圧縮部を形成することができ、カバー本体１の振動が抑制され、カバー本体１自身が騒音源となるのを防止することができる。
【００５０】
（実施例４）
図６に本実施例のエンジンカバーをエンジンブロック３に締結する前の状態を図６に、締結後の状態を図７に示す。このエンジンカバーは、ワッシャ４に代えてＴ字カラー６を、ボルト５に代えて段付ボルト７を用いてボス部30に締結される。
【００５１】
吸音部材２は凸部21をもたず、ウレタンフローティング部20は上方へ向かうほど径が拡大する略逆円錐形の筒状に形成されている。そしてウレタンフローティング部20とフランジ部12の表面との間に、リング状の空間部25が形成されている。その他は実施例１と同様である。
【００５２】
したがってボルト５の締結時には、ウレタンフローティング部20は外周側へ倒れ込むように変形し、空間部25及び凹部24の容積を狭めるように変形する。そして段付ボルト７の段部70がボス部30の表面に当接して進入が規制された状態では、ウレタンフローティング部20はＴ字カラー６とフランジ部12との間で15％以下の圧縮率で圧縮され、非圧縮部が形成される。
【００５３】
（実施例５）
図８に本実施例のエンジンカバーをエンジンブロック３に締結する前の状態で示す。このエンジンカバーは、固定部材による締め代がなく、締結前にＴ字カラー６の下面がボス部30に当接している。よって、ボルトによる締結がされても、ウレタンフローティング部20は圧縮されないため、カバー本体１の振動が抑制され、カバー本体１自身が騒音源となるのを防止することができる。なおこの場合は、吸音部材をへたりが少ない配合としたり、ウレタンフローティング部20とＴ字カラー６とを一体成形したりして、シール性を確保することが好ましい。
【産業上の利用可能性】
【００５４】
本発明の防音カバーは、吸音部材が振動源に当接するように用いられるものであれば、エンジンカバーに限ることなく、オイルパンカバー、インジェクタカバー、アンダーカバーなど種々の分野に用いることができる。
【図面の簡単な説明】
【００５５】
【図１】本発明の一実施例に係る防音カバーの取付構造を示す分解斜視図である。
【図２】本発明の一実施例に係る防音カバーの取付構造の締結前の断面図である。
【図３】本発明の一実施例に係る防音カバーの取付構造の締結後の断面図である。
【図４】本発明の第２の実施例に係る防音カバーの取付構造の締結前の断面図である。
【図５】本発明の第３の実施例に係る防音カバーの取付構造の締結前の断面図である。
【図６】本発明の第４の実施例に係る防音カバーの取付構造の締結前の断面図である。
【図７】本発明の第４の実施例に係る防音カバーの取付構造の締結後の断面図である。
【図８】本発明の第５の実施例に係る防音カバーの取付構造の締結前の断面図である。
【符号の説明】
【００５６】
１：カバー本体    ２：吸音部材    ３：エンジンブロック
４：Ｔ字カラー    ５：ボルト      10：貫通孔
20：ウレタンフローティング部      22：凸部
【図１】
2008248809.tif 000003
【図２】
2008248809.tif 000004
【図３】
2008248809.tif 000005
【図４】
2008248809.tif 000006
【図５】
2008248809.tif 000007
【図６】
2008248809.tif 000008
【図７】
2008248809.tif 000009
【図８】
2008248809.tif 000010